(57)【要約】  受信ダイバーシチを適用する移動局がベストセルの測定を行う際に、その受信ダイバーシチの複数のアンテナの考慮の仕方はセル毎に変更される。基地局は、受信ダイバーシチの複数のアンテナの考慮の仕方を決定し、それを移動局に報知情報、あるいは、メジャーメントコントロール情報として移動局に通知する。
2008105311.tif 000002
【特許請求の範囲】
【請求項１】
移動通信システムで基地局装置と通信するユーザ装置であって：
複数のアンテナと、
前記基地局装置から、測定する対象と前記複数のアンテナとの関係を指定するシグナリングを受信する受信手段と、
前記測定する対象と前記複数のアンテナとの指定された関係に基づいて測定を行う測定手段と、
を具備することを特徴とするユーザ装置。
【請求項２】
請求項１に記載のユーザ装置であって：
前記測定する対象は、リファレンス信号の受信電力、リファレンス信号の受信電力と雑音電力を含めた全受信電力との比及びパスロスの内の１つ以上で表現され、
測定の対象と複数のアンテナとの前記関係は、２アンテナで測定した値の合計値を測定すること、２アンテナで測定した値の平均値を測定すること、上りリンクの送信に用いるアンテナで測定した値を測定することの内の１つで表現される特徴とするユーザ装置。
【請求項３】
請求項２に記載のユーザ装置であって：
前記測定する対象がパスロスであり、かつ、
測定する対象及び複数のアンテナの前記関係が、上りリンクの送信に用いるアンテナで測定した値を測定することであった場合であって、
前記基地局装置におけるリファレンス信号の送信電力をRS Tx powerとし、上りリンクの送信に用いるアンテナで測定したリファレンス信号の受信電力をRSRPTxAntとした場合に、
Pathloss in dB = RS Tx power - RSRPTxAnt
によりパスロスが算出されることを特徴とするユーザ装置。
【請求項４】
請求項１に記載のユーザ装置であって：
前記測定する対象が、リファレンス信号の受信電力である場合には、測定する対象及び複数のアンテナの前記関係として、２アンテナで測定した値の合計値を測定することが指定され、
前記測定する対象がパスロスである場合には、測定する対象及び複数のアンテナの前記関係として、上りリンクの送信に用いるアンテナで測定した値を測定することが指定されることを特徴とするユーザ装置。
【請求項５】
請求項４に記載のユーザ装置であって：
前記基地局装置におけるリファレンス信号の送信電力をRS Tx powerとし、上りリンクの送信に用いるアンテナで測定したリファレンス信号の受信電力をRSRPTxAntとした場合に、
Pathloss in dB = RS Tx power - RSRPTxAnt
によりパスロスが算出されることを特徴とするユーザ装置。
【請求項６】
請求項１に記載のユーザ装置であって：
前記測定手段は、最も無線品質の良いセルを測定し、
前記最も無線品質の良いセルを、前記基地局装置に報告する報告手段を更に備える、
ことを特徴とするユーザ装置。
【請求項７】
請求項１に記載のユーザ装置であって：
前記シグナリングは、無線リソース制御メッセージ(RRCメッセージ)又は報知チャネルに含まれることを特徴とするユーザ装置。
【請求項８】
移動通信システムで複数のアンテナを有するユーザ装置と通信を行う基地局装置であって：
測定する対象と前記複数のアンテナの関係を決定する手段と、
決定された関係を、前記ユーザ装置に通知する通知手段と、
を具備することを特徴とする基地局装置。
【請求項９】
請求項８に記載の基地局装置であって、
前記測定する対象は、リファレンス信号の受信電力、リファレンス信号の受信電力と雑音電力を含めた全受信電力との比及びパスロスの内の１つ以上で表現され、
測定する対象と前記複数のアンテナの関係は、２アンテナで測定した値の合計値を測定すること、２アンテナで測定した値の平均値を測定すること、上りリンクの送信に用いるアンテナで測定した値を測定することの内の１つであることを特徴とする基地局装置。
【請求項１０】
請求項８に記載の基地局装置であって：
前記測定する対象が、リファレンス信号の受信電力である場合には、測定する対象と前記複数のアンテナの前記関係として、２アンテナで測定した値の合計値を測定することを指定し、
前記測定する対象がパスロスである場合には、測定する対象と前記複数のアンテナの前記関係として、上りリンクの送信に用いるアンテナで測定した値を測定することを指定することを特徴とする基地局装置。
【請求項１１】
複数のアンテナを有するユーザ装置と、前記ユーザ装置と通信を行う基地局装置とを具備する移動通信システムにおける通信制御方法であって：
前記基地局装置が、測定する対象と前記複数のアンテナの関係を指定するステップと、
前記ユーザ装置が、前記測定する対象と前記複数のアンテナの前記関係に基づいて、最も無線品質の良いセルの測定を行うステップと、
前記最も無線品質の良いセルの測定結果に基づいて、セルチェンジを行うステップと、
を有することを特徴とする通信制御方法。
【発明の詳細な説明】
【技術分野】
【０００１】
本発明は、ロングタームエボリューション(ＬＴＥ：Ｌｏｎｇ  Ｔｅｒｍ  Ｅｖｏｌｕｔｉｏｎ）システムに関し、特にユーザ装置、基地局装置、移動通信システム及び通信制御方法に関する。
【背景技術】
【０００２】
Ｗ−ＣＤＭＡやＨＳＤＰＡの後継となる通信方式、すなわちＬＴＥが、Ｗ−ＣＤＭＡの標準化団体３ＧＰＰにより検討され、無線アクセス方式として、下りリンクについてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行うマルチキャリア方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができるシングルキャリア方式である。ＳＣ−ＦＤＭＡでは、送信電力の変動が小さくなる特徴を持つことから、端末の低消費電力化及び広いカバレッジを実現できる。【０００５】
ところで、移動通信システムでは、伝送特性を向上させるために、２本以上のアンテナを用いて信号を受信する受信ダイバーシチを適用することがある。ＬＴＥにおける移動局では、下りリンクの伝送特性を向上させるため、一般に、２本のアンテナが具備され、受信ダイバーシチが適用される予定である。移動局は、より一般的にはユーザ装置（ＵＥ：Ｕｓｅｒ  Ｅｑｕｉｐｍｅｎｔ）と呼ばれてよい。尚、移動局が２本のアンテナを具備し、受信ダイバーシチを適用した場合には、移動局のコストやサイズが大きくなるため、Ｗ−ＣＤＭＡでは、受信ダイバーシチは必須でない。【０００６】
移動局が２本のアンテナを具備する場合に、移動局のコストやサイズが大きくならないように、２本のアンテナの内の１本を、感度が良く、性能の良いものとし、もう１本を、比較的感度が悪く、性能の悪いものとすることがある。便宜上、前者のアンテナをメインアンテナ、後者をサブアンテナと呼ぶ。また、この場合に、一般に、上りリンクの送信においては、前者の感度が良く、性能の良いアンテナを送信用のアンテナとする。すなわち、下りリンクにおいては、２本のアンテナを用いて受信を行い、上りリンクにおいては、２本のアンテナの内、性能の良い１本のアンテナを用いて送信を行うことになる。【０００７】
ところで、移動通信システムでは、その通信エリアは複数のセルから構成されており、移動局は前記セルの１つないし２つ以上のセルにおいて通信を行う。ＬＴＥでは、ハードハンドオーバ(Ｈａｒｄ  Ｈａｎｄ  Ｏｖｅｒ)が適用されるため、移動局は、１つのセルと通信を行い、通信中のセルよりも品質の良いセルが現れた場合には、そのより品質の良いセルにハンドオーバする。【０００８】
例えば、ＬＴＥと同様にハードハンドオーバによるハンドオーバが適用されていたＨＳＤＰＡにおいては、移動局は、パイロット信号の受信電力（CPICH RSCP）、パイロット信号の受信電力と雑音電力を含めた全受信電力の比（CPICH Ec/N0）、パスロスのいずれかを測定し、通信中のセルよりも品質の良いセルが現れた場合に、ベストセルをネットワークに報告する。この報告はメジャーメントレポート(ＭＲ：  Ｍｅａｓｕｒｅｍｅｎｔ  Ｒｅｐｏｒｔ)と呼ばれる。ネットワークは、メジャーメントレポートに基づいて、通信するセルを切り替える処理を行う（非特許文献２）。【０００９】
パスロスは、
Pathloss in dB = Primary CPICH Tx power - CPICH RSCP
により定義される。ここでＰｒｉｍａｒｙ  ＣＰＩＣＨ  Ｔｘ  ｐｏｗｅｒは、基地局装置におけるパイロット信号の送信電力であり、ＣＰＩＣＨ  ＲＳＣＰは、移動局におけるパイロット信号の受信電力である。上記式から明らかなように、パスロスは、パイロット信号の受信電力（ＣＰＩＣＨ  ＲＳＣＰ）と、パイロット信号（ＣＰＩＣＨ）の送信電力から自動的に算出される値である。【００１０】
上述したベストセル変更に関する報告はイベント１Ｄ（Ｒｅｐｏｒｔｉｎｇ  ｅｖｅｎｔ  １Ｄ）呼ばれる。また、移動局がパイロット信号の受信電力、パイロット信号の受信電力と雑音電力を含めた全受信電力の比、パスロスのどれを測定するかは、ネットワークが移動局に対して指定していた。具体的には、ネットワークは、報知チャネルにおけるシステム情報（ＳＹＳＴＥＭ  ＩＮＦＯＲＭＡＴＩＯＮ）を用いて、または、メジャーメント制御メッセージ（ＭＥＡＳＵＲＥＭＥＮＴ  ＣＯＮＴＲＯＬ  ｍｅｓｓａｇｅ）を用いて、移動局がパイロット信号の受信電力、パイロット信号の受信電力と雑音電力を含めた全受信電力の比、パスロス等の様々なメトリックの何れを測定するかを指定していた。ここで、ネットワークとは、ＷＣＤＭＡにおいては、無線ネットワーク制御装置（ＲＮＣ：Ｒａｄｉｏ  Ｎｅｔｗｏｒｋ  Ｃｏｎｔｒｏｌｌｅｒ）のことである。【００１１】
尚、ネットワークが、移動局がパイロット信号の受信電力、あるいは、パイロット信号の受信電力と雑音電力を含めた全受信電力の比、あるいは、パスロスのどれを測定するかを指定するのは、より柔軟なセル設計を行えるようにするためである。例えば、２つのネットワークオペレータが存在する場合に、あるネットワークオペレータは、移動局に対してパスロスを指定し、もう一方のネットワークオペレータは、パイロット信号の受信電力を指定することができる。あるいは、１つのネットワークオペレータが、郊外のエリアにおいては、移動局に対してパスロスを指定し、都心部のエリアにおいては、移動局に対してパイロット信号の受信電力を指定することができる。【００１２】
ここで、２本のアンテナを有し、受信ダイバーシチを適用する移動局が上記メジャーメントレポートを行う場合、上記２本のアンテナを考慮して、上記パイロット信号の受信電力（CPICH RSCP）、パイロット信号の受信電力と雑音電力を含めた全受信電力の比（CPICH Ec/N0）を算出する必要がある。例えば、受信ダイバーシチを適用する移動局のパイロット信号の受信電力（CPICH RSCP）、パイロット信号の受信電力と雑音電力を含めた全受信電力の比（CPICH Ec/N0）の算出方法として、以下の３通りの方法が提案されている（これについては、例えば非特許文献３参照。）：
［１］CPICH RSCPやCPICH Ec/N0は、どちらかのアンテナをメインのアンテナと定義し、そのメインの1アンテナで測定した値とする。【００１３】
［２］CPICH RSCPやCPICH Ec/N0は、2アンテナで測定した値の平均値とする。【００１４】
［３］CPICH RSCPやCPICH Ec/N0は，2アンテナで測定した値の合計値とする。
また、上記３通りの方法のうち、非特許文献４においては、３つ目の、2アンテナで測定した値の合計値とすることも提案されている。
【非特許文献１】3GPP TR 25.814 (V7.0.0), "Physical Layer Aspects for Evolved UTRA," June 2006
【非特許文献２】25.331 V6.11.0 2006-09
【非特許文献３】Nokia, R4-061294, "RRM measurements on a WCDMA UE with multiple antenna connectors", November, 2006
【非特許文献４】Nokia, Qualcomm, R4-070238, "Further discussion on RRM measurements on a WCDMA UE with multiple antenna connectors", February, 2007
【発明の開示】
【発明が解決しようとする課題】
【００１５】
しかしながら、上述した背景技術には以下の問題がある。【００１６】
ＷＣＤＭＡあるいはＨＳＤＰＡにおいては、セルの品質を測定する指標として、パイロット信号の受信電力、パイロット信号の受信電力と雑音電力を含めた全受信電力との比、パスロスが用いられ、かつ、どの指標(測定対象又はメトリック)を用いるかは、ネットワークにより指定されていた。受信ダイバーシチが行われる場合、上記パイロット信号の受信電力やパイロット信号の受信電力と雑音電力を含めた全受信電力との比として、メインの１アンテナで測定した値、あるいは、２アンテナで測定した値の平均値、あるいは、２アンテナで測定した値の合計値等は測定方法によって異なる値をとる可能性がある。しかしながら測定対象をどのように測定するか(測定方法)は、１アンテナしか想定されていない従来方法では想定されておらず、従ってＨＳＤＰＡ等での手法をＬＴＥにそのまま適用することは困難である。【００１７】
すなわち、従来のネットワークは、ネットワークオペレータの違い、あるいは、郊外や都心部といったエリアの違いに基づいて、メインの１アンテナで測定した値を報告するか、あるいは、２アンテナで測定した値の平均値を報告するか、あるいは、２アンテナで測定した値の合計値を報告するかを選択することができないという問題があった。【００１８】
また、上述した背景技術においては、パスロスは、パイロット信号の受信電力（ＣＰＩＣＨ  ＲＳＣＰ）と、パイロット信号の送信電力から算出される値であるため、パイロット信号の受信電力が２アンテナで測定した値の合計値として報告された場合には、パスロスの値も、２アンテナで測定した値の合計値に基づいた値になる。この値は下りリンクのパスロスの影響を強く反映できるので、下りリンクの状況を正確に知ろうとする基地局には好都合かもしれない。一方、上りリンクでは１アンテナで送信が行われるので、そのような合計値を一律に基地局に報告すると、上りリンクのパスロスを知ろうとする基地局には好都合ではない。このような観点からは、次世代の移動通信システムには、ネットワークオペレータの意向を柔軟に反映できることも望まれる。【００１９】
そこで、本発明はこれらの問題に配慮してなされたものであり、その課題は、ネットワークが、受信ダイバーシチを適用する移動局がメジャーメントレポートを行う際に、測定対象及び測定方法を様々に指定できるようにすることである。
【課題を解決するための手段】
【００２０】
上記課題を解決するため、本発明のユーザ装置は、
複数のアンテナと、
前記基地局装置から、測定する対象と前記複数のアンテナとの関係を指定するシグナリングを受信する受信手段と、
前記測定する対象と前記複数のアンテナとの指定された関係に基づいて測定を行う測定手段と、
を具備することを特徴の１つとする。【００２１】
上記課題を解決するため、本発明の基地局装置は、
測定する対象と前記複数のアンテナの関係を決定する手段と、
決定された関係を、複数のアンテナを有するユーザ装置に通知する通知手段と、
を具備することを特徴の１つとする。【００２２】
上記課題を解決するため、本発明の通信制御方法は、
前記基地局装置が、測定する対象と複数のアンテナの関係を指定するステップと、
前記ユーザ装置が、前記測定する対象と前記複数のアンテナの前記関係に基づいて、最も無線品質の良いセルの測定を行うステップと、
前記最も無線品質の良いセルの測定結果に基づいて、セルチェンジを行うステップと、
を有することを特徴の１つとする。
【発明の効果】
【００２３】
本発明によれば、ネットワークは、受信ダイバーシチを適用する移動局がメジャーメントレポートを行う際に、測定対象及び測定方法を様々に指定できるようになる。
【図面の簡単な説明】
【００２４】
【図１】本発明の実施例による無線通信システムの概念図を示す。
【図２】下りリンクリファレンス信号のマッピング例を示す図である。
【図３】本発明の一実施例による基地局装置を示す図である。
【図４】様々な測定対象及び測定方法の一例を示す図である。
【図５】様々な測定対象及び測定方法の別の例を示す図である。
【図６】本発明の一実施例による移動局を示す図である。
【図７】本発見の一実施例による動作例を示すフローチャートを示す。
【図８】本発見の一実施例による動作例を示すフローチャートを示す。
【符号の説明】
【００２５】
５０  セル
１００１、１００２、１００３、１００ｎ  移動局
１０２  送受信アンテナ
１０４  アンプ部
１０６  送受信部
１０８  ベースバンド処理部
１１０  メジャーメント部
１１２  呼処理部
１１４  アプリケーション部
２００  基地局装置
２０２  送受信アンテナ
２０４  アンプ部
２０６  送受信部
２０８  ベースバンド信号処理部
２１０  メジャーメントコントロール部
２１２  呼処理部
２１４  伝送路インターフェース
３００  アクセスゲートウェイ装置
４００  コアネットワーク
【発明を実施するための最良の形態】
【００２６】
本発明の一形態では、無線伝搬状況を示すメトリックが複数種類用意されている移動通信システムにおけるユーザ装置が使用される。ユーザ装置は、複数のアンテナと、信号の送信に使用されるアンテナを用いて上りリンクのメトリックを算出する第１算出手段と、信号の受信に使用される複数のアンテナを用いて下りリンクのメトリックを算出する第２算出手段と、基地局装置からの指示に応じて、前記上りリンク又は前記下りリンクのメトリックを前記基地局装置に報告する報告手段とを有する。【００２７】
基地局装置又はネットワークは移動局に指示信号を送信し、その指示信号は、受信ダイバーシチを適用する移動局がメジャーメントレポートを行う際に、メインの１アンテナで測定した値を報告するか、あるいは、２アンテナで測定した値の平均値を報告するか、あるいは、２アンテナで測定した値の合計値を報告するかを指定する。これにより、柔軟なセル設計が可能になり、より高品質のネットワークを提供することができる。あるいは、受信ダイバーシチの２本のアンテナを考慮する際に、パイロット信号の受信電力の測定と、パスロスの測定において、その２本のアンテナの考慮の仕方を変えることにより、より高品質のネットワークを提供することができる。【００２８】
本発明を実施するための最良の形態を、以下の実施例に基づき図面を参照しつつ説明する。なお、実施例を説明するための全図において、同一機能を有するものは同一符号を用い、繰り返しの説明は省略する。【００２９】
本発明は、メジャーメントコントロール（Ｍｅａｓｕｒｅｍｅｎｔ  Ｃｏｎｔｒｏｌ）およびメジャーメントレポートに特に関連し、基地局装置がメジャーメントの仕方を指定し、指定された測定を移動局が行い、その測定結果を基地局装置に報告する手順に係る。従ってメジャーメントコントロール及びメジャーメントレポートに係る部分が主に説明される。【００３０】
本発明の実施例に係る移動局、基地局装置が適用される無線通信システムについて、図１を参照して説明する。【００３１】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００と、基地局装置２００と通信中である複数の移動局（ＵＥ：  Ｕｓｅｒ  Ｅｑｕｉｐｍｅｎｔ）１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０において基地局装置２００とＥｖｏｌｖｅｄ  ＵＴＲＡ  ａｎｄ  ＵＴＲＡＮにより通信を行っている。【００３２】
以下、移動局１００ｎ（１００１、１００２、１００３、・・・１００ｎ）については、同一の構成、機能、状態を有するので、以下では特段の断りがない限り移動局１００ｎとして説明を進める。【００３３】
無線通信システム１０００は、無線アクセス方式として、下りリンクについてはＯＦＤＭ（周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。【００３４】
ここで、Ｅｖｏｌｖｅｄ  ＵＴＲＡ  ａｎｄ  ＵＴＲＡＮにおける通信チャネルについて説明する。【００３５】
下りリンクについては、各移動局１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の物理下りリンク制御チャネル（ＰＤＣＣＨ：  Ｐｈｙｓｉｃａｌ  Ｄｏｗｎｌｉｎｋ  Ｃｏｎｔｒｏｌ  Ｃｈａｎｎｅｌ）とが用いられる。下りリンクでは、ＬＴＥ用の下り制御チャネルにより、下り共有物理チャネルにマッピングされるユーザの情報やトランスポートフォーマットの情報、上り共有物理チャネルにマッピングされるユーザの情報やトランスポートフォーマットの情報、上り共有物理チャネルの送達確認情報などが通知される。尚、上記送達確認情報は、Ｐｈｙｓｉｃａｌ  Ｈｙｂｒｉｄ ＡＲＱ  Ｉｎｄｉｃａｔｏｒ  Ｃｈａｎｎｅｌ (ＰＨＩＣＨ)とも呼ばれる。上記ＰＨＩＣＨは、上記ＰＤＣＣＨに含まれるのではなく、上記ＰＤＣＣＨとは並列の関係にある、異なる物理チャネルとして定義されてもよい。また、物理下りリンク共有チャネルによりユーザデータが伝送される。上記ユーザデータは、トランスポートチャネルとしては、下りリンク共有チャネルＤｏｎｗｌｉｎｋ−Ｓｈａｒｅ  Ｃｈａｎｎｅｌ  （ＤＬ−ＳＣＨ）である。【００３６】
また、下りリンクにおいては、パイロット信号として、下りリンクのリファレンス信号（Ｄｏｗｎｌｉｎｋ  Ｒｅｆｅｒｅｎｃｅ  Ｓｉｇｎａｌ）が送信される。下りリンクのリファレンス信号は、二次元の直交系列（Ｏｔｈｏｇｏｎａｌ  Ｓｅｑｕｅｎｃｅ）と、二次元の擬ランダム系列（Ｐｓｅｕｄｏ  Ｒａｎｄｏｍ  Ｓｅｑｕｅｎｃｅ）から構成される、二次元の系列である（非特許文献Ｘ）。Ｄｏｗｎｌｉｎｋ  Ｒｅｆｅｒｅｎｃｅ  Ｓｉｇｎａｌの物理リソースへのマッピングの例を図２に示す。尚、上記例においては、二次元の直交系列と二次元の擬ランダム系列とから構成されたが、二次元の擬ランダム系列のみで構成されてもよい。【００３７】
上りリンクについては、各移動局１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の制御チャネルとが用いられる。制御チャネルには、物理上りリンク共有チャネルと時間多重されるチャネルと、周波数多重されるチャネルの２種類がある。周波数多重されるチャネルは、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）と呼ばれる。上りリンクでは、ＬＴＥ用の物理上りリンク制御チャネルにより、下りリンクにおける共有チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの共有チャネルの送達確認情報（ＨＡＲＱ  ＡＣＫ  ｉｎｆｏｒｍａｔｉｏｎ）が伝送される。また、物理上りリンク共有チャネルによりユーザデータが伝送される。上記ユーザデータは、トランスポートチャネルとしては、上りリンク共有チャネルＵｐｌｉｎｋ−Ｓｈａｒｅ  Ｃｈａｎｎｅｌ  （ＵＬ−ＳＣＨ）である。【００３８】
図３を参照しながら、本発明の実施例に係る基地局装置２００について説明する。【００３９】
本実施例に係る基地局装置２００は、送受信アンテナ２０２と、アンプ部２０４と、送受信部２０６と、ベースバンド信号処理部２０８と、メジャーメントコントロール部２１０と、呼処理部２１２と、伝送路インタフェース２１４とを備える。【００４０】
下りリンクにより基地局装置２００から移動局１００ｎに送信されるユーザデータは、基地局装置２００の上位に位置する上位局、例えばアクセスゲートウェイ装置３００から伝送路インタフェース２１４を介してベースバンド信号処理部２０８に入力される。【００４１】
ベースバンド信号処理部２０８では、ＰＤＣＰレイヤの送信処理、ユーザデータの分割・結合、ＲＬＣ（ｒａｄｉｏ  ｌｉｎｋ  ｃｏｎｔｒｏｌ）再送制御の送信処理などのＲＬＣレイヤーの送信処理、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、下りリンクの制御チャネルである物理下りリンク制御チャネルの信号に関しても、チャネル符号化や逆高速フーリエ変換等の送信処理が行われて、送受信部２０６に転送される。【００４２】
また、ベースバンド信号処理部２０８は、メジャーメントコントロール部２１０よりメジャーメントコントロールのメッセージを受け取り、また、呼処理部２１２からセル選択又はセル変更(Ｃｅｌｌ  Ｃｈａｎｇｅ)を行うためのメッセージを受け取る。そして、上記メジャーメントコントロールのメッセージやセル選択又はセル変更を行うためのメッセージに対して、ユーザデータと同様の処理を行い、送受信部２０６に転送する。ここで、上記メジャーメントコントロールのメッセージやセル選択又はセル変更を行うためのメッセージは、ＲＲＣ  メッセージの１つであり、論理チャネルとしては、ＤＣＣＨ（Ｄｅｄｉｃａｔｅｄ  Ｃｏｎｔｒｏｌ  Ｃｈａｎｎｅｌ）として送信される。【００４３】
さらに、ベースバンド信号処理部２０８は、メジャーメントコントロール部２１０よりメジャーメントに関する報知情報を受け取る。そして、上記メジャーメントに関する報知情報に対しても、チャネル符号化や逆高速フーリエ変換等の処理を行い、送受信部２０６に転送する。【００４４】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００４５】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００４６】
ベースバンド信号処理部２０８では、入力されたベースバンド信号に含まれるユーザデータに対して、ＦＦＴ処理、ＩＤＦＴ処理、誤り訂正復号、ＭＡＣ再送制御の受信処理、ＲＬＣレイヤーの受信処理、ＰＤＣＰレイヤの受信処理がなされ、伝送路インタフェース２１４を介してアクセスゲートウェイ装置３００に転送される。【００４７】
また、ベースバンド信号処理部２０８では、入力されたベースバンド信号に含まれる、移動局１００ｎからのＲＲＣ  メッセージ、例えば、メジャーメントレポートに対しても、ＦＦＴ処理、ＩＤＦＴ処理、誤り訂正復号、ＭＡＣ再送制御の受信処理、ＲＬＣレイヤーの受信処理等を行い、呼処理部２１２に転送する。また、例えば、上記移動局１００ｎからのＲＲＣ  メッセージとして、例えば、セルチェンジを行うためのＲＲＣ  メッセージが含まれる。【００４８】
メジャーメントコントロール部２１０は、セル５０に在圏する移動局１００ｎがメジャーメントレポートを行う際に用いる指標、測定量（Ｍｅａｓｕｒｅｍｅｎｔ  Ｑｕａｎｔｉｔｙ）を指定する。ここで、例えば、上記測定量（Ｍｅａｓｕｒｅｍｅｎｔ  Ｑｕａｎｔｉｔｙ）として、図４に示すように、測定する対象（測定対象、指標又はメトリック）として、リファレンス信号の受信電力、リファレンス信号の受信電力と雑音電力を含めた全受信電力との比、パスロスの３通りを選択することができ、かつ、２アンテナの考慮の仕方（測定方法）として、メインの１アンテナで測定した値を測定する、２アンテナで測定した値の平均値を測定する、２アンテナで測定した値の合計値を測定する、の３通りを選択することができる。ここで、上記メインの１アンテナは、例えば、上りリンクの送信に用いるアンテナとしてもよい。あるいは、上記メインの１アンテナは、受信感度のよいアンテナとしてもよい。あるいは、上記メインの１アンテナは、上記測定量（Ｍｅａｓｕｒｅｍｅｎｔ  Ｑｕａｎｔｉｔｙ）が最も良い１アンテナとしてもよい。この場合、測定する対象に関する３通りと、２アンテナの考慮の仕方に関する３通りが存在するため、結果として、基地局装置は、９通りの、測定する対象と２アンテナの考慮の仕方の組み合わせを選択することが可能となる。【００４９】
ここで、測定する対象としてパスロスが選択された場合、２アンテナの考慮の仕方の各々についてパスロスは以下のように計算される：
<メインの１アンテナで測定した値の平均値を測定する場合>
Pathloss in dB = RS Tx power - RSRPTxAnt
<２アンテナで測定した値の平均値を測定する場合>
Pathloss in dB = RS Tx power - RSRPRxAnt,Average
<２アンテナで測定した値の合計値を測定する場合>
Pathloss in dB = RS Tx power - RSRPRxAnt,Sum
ここで、ＲＳ  Ｔｘ  ｐｏｗｅｒは、基地局装置２００におけるリファレンス信号の送信電力のことであり、ＲＳＲＰＴｘＡｎｔは、移動局１００ｎにおけるメインの１アンテナのリファレンス信号の受信電力のことであり、ＲＳＲＰＲｘＡｎｔ,Ａｖｅｒａｇｅは、移動局１００ｎにおける２アンテナで測定したリファレンス信号の受信電力の平均値のことであり、ＲＳＲＰＲｘＡｎｔ,Ｓｕｍは、移動局１００ｎにおける２アンテナで測定したリファレンス信号の受信電力の合計値のことである。また、上記Ｒｓ  Ｔｘ  ｐｏｗｅｒは、例えば、報知情報等により基地局装置２００より移動局１００ｎにシグナリングされる。【００５０】
また、測定する対象として、リファレンス信号の受信電力と雑音電力を含めた全受信電力との比が選択された場合には、リファレンス信号の受信電力と、雑音電力を含めた全受信電力の２種類の測定を行う必要がある。この場合に、雑音電力を含めた全受信電力に関しては、２アンテナの考慮の仕方として、２アンテナで測定した値の平均値を測定する、とし、リファレンス信号の受信電力に関しては、図４に示す選択肢から選択されるとしてもよい。【００５１】
上述したように、本発明に係る基地局装置２００は、上記９通りの中から、当該セルに最適な測定量（Ｍｅａｓｕｒｅｍｅｎｔ  Ｑｕａｎｔｉｔｙ）、すなわち、測定する対象と２アンテナの考慮の仕方を選択することが可能となり、より柔軟なセル設計が可能になり、より高品質のネットワークを提供することができる。【００５２】
あるいは、例えば、上記測定量（Ｍｅａｓｕｒｅｍｅｎｔ  Ｑｕａｎｔｉｔｙ）として、図５（a）に示すように、リファレンス信号の受信電力における２アンテナの考慮の仕方と、リファレンス信号の受信電力と雑音電力を含めた全受信電力の比における２アンテナの考慮の仕方と、パスロスにおける２アンテナの考慮の仕方を異ならせてもよい。具体的には、リファレンス信号の受信電力に関しては、２アンテナの考慮の仕方として、２アンテナで測定した値の合計値を測定する、とし、リファレンス信号の受信電力と雑音電力を含めた全受信電力の比に関しては、２アンテナの考慮の仕方として、２アンテナで測定した値の平均値を測定する、とし、パスロスに関しては、２アンテナの考慮の仕方として、メインの１アンテナで測定した値を測定する、としてもよい。ここで、上記メインの１アンテナは、例えば、上りリンクの送信に用いるアンテナとしてもよい。パスロスは次式で示されるように計算される：
Pathloss in dB = RS Tx power - RSRPTxAnt
ここで、ＲＳ  Ｔｘ  ｐｏｗｅｒは、基地局装置２００におけるリファレンス信号の送信電力のことであり、ＲＳＲＰＴｘＡｎｔは、移動局１００ｎにおけるメインの１アンテナのリファレンス信号の受信電力のことである。また、上記Ｒｓ  Ｔｘ  ｐｏｗｅｒは、例えば、報知情報等により基地局装置２００より移動局１００ｎにシグナリングされる。ＲＳＲＰＴｘＡｎｔは、メインの１アンテナのリファレンス信号の受信電力のことであるため、２アンテナで測定した合計値として測定されるリファレンス信号の受信電力とは異なる値である。この場合、リファレンス信号の受信電力や、リファレンス信号の受信電力と雑音電力を含めた全受信電力の比は、両方のアンテナを考慮するため、下りリンクの無線品質を測定することになり、パスロスに関しては、メインのアンテナ、あるいは、上りリンクの送信に用いるアンテナを考慮するため、上りリンクの無線品質を測定することになる。すなわち、基地局装置２００は、上述したような下りリンクや上りリンクを考慮して、当該セルに最適な測定量（Ｍｅａｓｕｒｅｍｅｎｔ  Ｑｕａｎｔｉｔｙ）を選択することが可能となり、より柔軟なセル設計が可能になり、より高品質のネットワークを提供することができる。【００５３】
尚、図５（a）に示した、測定する対象と２アンテナの考慮の仕方の組み合わせは、一例であり、図４に示した９通りの、測定する対象と２アンテナの考慮の仕方の組み合わせから、任意の組み合わせを選択することができる。例えば、パスロスに関しては、図５（ｂ）に示すように、２アンテナの考慮の仕方として、メインの１アンテナで測定した値を測定する（選択肢３）、２アンテナで測定した値の合計値を測定する（選択肢４）のどちらかを選択できるようにしてもよい。選択肢４を選択した場合、パスロスは次式で示されるように計算される：
Pathloss in dB = RS Tx power - RSRPＲｘＡｎｔ、Ｓｕｍ
ここで、ＲＳ  Ｔｘ  ｐｏｗｅｒは、基地局装置２００におけるリファレンス信号の送信電力のことであり、ＲＳＲＰＲｘＡｎｔ、Ｓｕｍは、移動局１００ｎにおける２アンテナで測定したリファレンス信号の受信電力の合計値のことである。また、上記Ｒｓ  Ｔｘ  ｐｏｗｅｒは、例えば、報知情報等により基地局装置２００より移動局１００ｎにシグナリングされる。【００５４】
選択肢３を選択した場合、メインの１アンテナ、あるいは、上りリンクの送信に用いられるアンテナで測定したリファレンス信号の受信電力に基づいたパスロスの値となるため、上りリンクのパスロスを測定することに相当する。また、選択肢４を選択した場合、２本のアンテナで測定したリファレンス信号の受信電力の合計値に基づいたパスロスの値となるため、下りリンクのパスロスを測定することに相当する。【００５５】
あるいは、リファレンス信号の受信電力に関して、パターン（ｃ）に示すように、２アンテナの考慮の仕方として、メインの１アンテナで測定した値を測定する（選択肢１）、２アンテナで測定した値の合計値を測定する（選択肢２）のどちらかを選択できるようにしてもよい。尚、上記選択肢１において、メインの1アンテナで測定した値を測定する代わりに、送信に用いる1アンテナで測定した値を測定してもよい。【００５６】
あるいは、リファレンス信号の受信電力に関して、パターン（ｄ）に示すように、２アンテナの考慮の仕方として、２アンテナで測定した値の平均値を測定する（選択肢１）、２アンテナで測定した値の合計値を測定する（選択肢２）のどちらかを選択できるようにしてもよい。尚、上記選択肢１において、2アンテナで測定した値の平均値の算出を行う際に、上記2アンテナの感度を考慮して平均値の算出が行われてもよい。より具体的には、上記2アンテナの感度を考慮した重み付け係数Ｗ１、Ｗ２を定義し、上記Ｗ１、Ｗ２に基づいて、平均値が算出されてもよい：
リファレンス信号の受信電力 ＝（W1×（アンテナ１で測定した値）＋W2×（アンテナ２で測定した値））／２
そして、メジャーメントコントロール部２１０は、上述した、セル５０に在圏する移動局１００ｎがメジャーメントレポートを行う際に用いる指標、測定量（Ｍｅａｓｕｒｅｍｅｎｔ  Ｑｕａｎｔｉｔｙ）を、移動局１００ｎに通知する。【００５７】
より具体的には、メジャーメントコントロール部２１０は、上記セル５０に在圏する移動局１００ｎがメジャーメントレポートを行う際に用いる指標である、測定量（Ｍｅａｓｕｒｅｍｅｎｔ  Ｑｕａｎｔｉｔｙ）を含んだ、メジャーメントコントロールのメッセージをベースバンド信号処理部２０８に通知する。上記メジャーメントコントロールのメッセージは、上述したように、ベースバンド信号処理部２０８、送受信部２０６、アンプ部２０４、送受信アンテナ２０２を介して、移動局１００ｎに通知される。【００５８】
あるいは、呼処理部２１０は、上記セル５０に在圏する移動局１００ｎがメジャーメントレポートを行う際に用いる指標である、測定量（Ｍｅａｓｕｒｅｍｅｎｔ  Ｑｕａｎｔｉｔｙ）を含んだ、メジャーメントに関する報知情報をベースバンド信号処理部２０８に通知する。上記メジャーメントに関する報知情報は、上述したように、報知チャネルの一部として、ベースバンド信号処理部２０８、送受信部２０６、アンプ部２０４、送受信アンテナ２０２を介して、移動局１００ｎに通知される。【００５９】
呼処理部２１２は、通信チャネルの設定や解放等の呼処理や、無線基地局２００の状態管理や、無線リソースの管理を行う。【００６０】
また、呼処理部２１２は、ベースバンド信号処理部２０８より、移動局１００ｎからのＲＲＣ  メッセージ、例えば、メジャーメントレポートを受け取る。呼処理部２１２は、移動局１００ｎから、現在Ｅｖｏｌｖｅｄ  ＵＴＲＡ  ａｎｄ  ＵＴＲＡＮを用いた通信を行っているセルと異なるセルが最も無線品質の良いセルであるというメジャーメントレポートを受け取った場合には、サービングセルを、現在通信中のセルから、上記最も無線品質の良いセルに変更するセルチェンジの処理を行う。ここで、サービングセルとは、Ｅｖｏｌｖｅｄ  ＵＴＲＡ  ａｎｄ  ＵＴＲＡＮを用いた通信を行うセルのことを指す。また、上記無線品質とは、上述した、基地局装置２００が指定した測定量（Ｍｅａｓｕｒｅｍｅｎｔ  Ｑｕａｎｔｉｔｙ）のことである。すなわち、図４または図５の中から、基地局装置２００内の呼処理部２１２が選択した測定量（Ｍｅａｓｕｒｅｍｅｎｔ  Ｑｕａｎｔｉｔｙ）に基づいて、移動局１００ｎが測定を行い、その測定結果に基づいてセルチェンジが行われることになる。このように、基地局装置が、受信ダイバーシチにおける複数のアンテナを考慮の仕方を選択し、その選択された複数のアンテナの考慮の仕方に基づいて、セルチェンジを行うことにより、より高品質のネットワークを提供することができる。【００６１】
次に、本発明の実施例に係る移動局１００ｎについて、図６を参照して説明する。【００６２】
同図において、移動局１００ｎは、アンテナ１０２１と、アンテナ１０２２と、アンプ部１０４と、送受信部１０６と、ベースバンド信号処理部１０８と、メジャーメント部１１０と、呼処理部１１２と、アプリケーション部１１４とを具備する。【００６３】
ここで、移動局１００ｎは、受信ダイバーシチを適用し、２本のアンテナ、アンテナ１０２１とアンテナ１０２２を有することとする。また、上記２本のアンテナの内、アンテナ１０２１はメインのアンテナとして定義され、上りリンクの送信に用いられるものとする。尚、メインのアンテナ、あるいは、上りリンクの送信に用いられるアンテナは、上述したように固定としてもよいし、可変としてもよい。例えば、メインのアンテナ、あるいは、上りリンクの送信に用いられるアンテナを可変とする場合、下りリンクのリファレンス信号の受信電力に基づいて、上記メインのアンテナ、あるいは、上りリンクの送信に用いられるアンテナが決定されてもよい。【００６４】
下りリンクのデータについては、アンテナ１０２１、１０２２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理等がなされる。上記下りリンクのデータの内、下りリンクのユーザデータは、アプリケーション部１１２に転送される。また、上記下りリンクのデータの内、ＲＲＣ  メッセージは、メジャーメント部１１０と呼処理部１１２に転送される。例えば、基地局装置２００より通知されるメジャーメントコントロールのメッセージはメジャーメント部１１０に転送され、基地局装置２００より通知されるセル選択を行うためのメッセージは呼処理部１１２に転送される。さらに、上記下りリンクのデータの内、メジャーメントに関する報知情報は、メジャーメント部１１０に転送される。さらに、上記下りリンクのデータの内、下りリンクのリファレンス信号もメジャーメント部１１０に転送される。【００６５】
一方、上りリンクのユーザデータについては、アプリケーション部１１２からベースバンド信号処理部１０８に入力される。また、メジャーメント部１１０より、メジャーメントレポートのメッセージが入力され、また、呼処理部１１２より、セルチェンジを行うためのメッセージが入力される。ここで、上記メジャーメントレポートのメッセージやセルチェンジを行うためのメッセージは、ＲＲＣ  メッセージの１つである。【００６６】
ベースバンド信号処理部１０８では、上述したユーザデータやＲＲＣ  メッセージに対して、再送制御（Ｈ−ＡＲＱ  （Ｈｙｂｒｉｄ  ＡＲＱ））の送信処理や、チャネル符号化、ＤＦＴ処理、ＩＦＦＴ処理等が行われて送受信部１０６に転送される。送受信部１０６では、ベースバンド信号処理部１０８から出力されたベースバンド信号を無線周波数帯に変換する周波数変換処理が施され、その後、アンプ部１０４で増幅されてアンテナ１０２１より送信される。【００６７】
メジャーメント部１１０は、ベースバンド信号処理部１０８より、メジャーメントコントロールのメッセージと、メジャーメントに関する報知情報と、下りリンクのリファレンス信号とを受け取る。そして、メジャーメント部１１０は、メジャーメントコントロールのメッセージ、または、メジャーメントに関する報知情報に基づいて、メジャーメントを行う。上記メジャーメントコントロールのメッセージ、または、メジャーメントに関する報知情報には、測定量（Ｍｅａｓｕｒｅｍｅｎｔ  Ｑｕａｎｔｉｔｙ）が含まれる。すなわち、メジャーメント部１１０は、基地局装置２００内のメジャーメントコントロール部２１０が指定する、測定する対象と２アンテナの考慮の仕方に基づいて、メジャーメントを行う。上記測定する対象や上記２アンテナの考慮の仕方を指定する仕方として、図４または図５に示した指定の仕方（選択肢１、選択肢２、…）がある。【００６８】
例えば、メジャーメント部１１０は、測定する対象として、リファレンス信号の受信電力が指定され、２アンテナの考慮の仕方として、２アンテナで測定した合計の値を測定する、が指定された場合には、アンテナ１０２１で受信したリファレンス信号の受信電力と、アンテナ１０２２で受信したリファレンス信号の受信電力の合計値を測定する。
また例えば、メジャーメント部１１０は、測定する対象として、リファレンス信号の受信電力が指定され、２アンテナの考慮の仕方として、メインの１アンテナで測定した値を測定する、が指定された場合には、メインのアンテナであり、上りリンクの送信に用いるアンテナ１０２１で受信したリファレンス信号の受信電力を測定する。
さらに例えば、メジャーメント部１１０は、測定する対象として、パスロスが指定され、２アンテナの考慮の仕方として、メインの１アンテナで測定した値を測定する、が指定された場合には、メインのアンテナであり、上りリンクの送信に用いるアンテナ１０２１で受信したリファレンス信号の受信電力に基づいたパスロスを測定する。すなわち、パスロス次式のように計算される：
Pathloss in dB = RS Tx power - RSRPTxAnt
ここで、ＲＳ  Ｔｘ  ｐｏｗｅｒは、基地局装置２００におけるリファレンス信号の送信電力のことであり、ＲＳＲＰＴｘＡｎｔは、メインの１アンテナであり、送信に用いるアンテナ、すなわち、アンテナ１０２１におけるリファレンス信号の受信電力のことである。ここで、上記Ｒｓ  Ｔｘ  ｐｏｗｅｒは、例えば、報知情報等により基地局装置２００よりシグナリングされる。【００６９】
さらに例えば、メジャーメント部１１０は、測定する対象として、パスロスが指定され、２アンテナの考慮の仕方として、２アンテナで測定した合計値を測定する、が指定された場合には、２アンテナ、すなわち、アンテナ１０２１で受信したリファレンス信号の受信電力とアンテナ１０２２で受信したリファレンス信号の受信電力の合計値に基づいたパスロスを測定する。すなわち、パスロスは次式のように計算される：
Pathloss in dB = RS Tx power - RSRPＲxAnt、Ｓｕｍ
ここで、ＲＳ  Ｔｘ  ｐｏｗｅｒは、基地局装置２００におけるリファレンス信号の送信電力のことであり、ＲＳＲＰＲｘＡｎｔ、Ｓｕｍは、アンテナ１０２１におけるリファレンス信号の受信電力とアンテナ１０２２におけるリファレンス信号の受信電力の合計値のことである。ここで、上記Ｒｓ  Ｔｘ  ｐｏｗｅｒは、例えば、報知情報等により基地局装置２００よりシグナリングされる。【００７０】
尚、測定する対象がパスロスであり、２アンテナの考慮の仕方が、メインの１アンテナで測定した値を測定する、である場合には、メインの１アンテナ、あるいは、上りリンクの送信に用いられるアンテナで測定したリファレンス信号の受信電力に基づいたパスロスの値となるため、上りリンクのパスロスを測定することに相当する。また、測定する対象がパスロスであり、２アンテナの考慮の仕方が、２アンテナで測定した値の合計値を測定する、である場合には、２本のアンテナで測定したリファレンス信号の受信電力の合計値に基づいたパスロスの値となるため、下りリンクのパスロスを測定することに相当する。【００７１】
メジャーメント部１１０は、上述したメジャーメントの１つとして、どのセルが最も無線品質が良いかを測定するベストセルの測定を行う。ここで、上記無線品質とは、上記メジャーメントコントロールのメッセージ、または、メジャーメントに関する報知情報に含まれる測定量（Ｍｅａｓｕｒｅｍｅｎｔ  Ｑｕａｎｔｉｔｙ）のことであり、上述したように、基地局装置２００により指定される。すなわち、図４または図５の中から、基地局装置２００内の呼処理部２１２が選択した測定量（Ｍｅａｓｕｒｅｍｅｎｔ  Ｑｕａｎｔｉｔｙ）、すなわち、測定する対象と２アンテナの考慮の仕方に基づいて、移動局１００ｎはベストセルの測定を行う。【００７２】
そして、メジャーメント部１１０は、現在のベストセルよりも無線品質の良いセルが現れた場合には、上記現在のベストセルよりも無線品質の良いセルを報告するメジャーメントレポートのメッセージを生成し、ベースバンド信号処理部１０８に通知する。ここで、上記現在のベストセルよりも無線品質の良いセルが現れると判定する際に、無線品質に関するヒステリシスや時間的なヒステリシス（Ｔｉｍｅ  Ｔｏ  Ｔｒｉｇｇｅｒ）が考慮されてもよい。また、上記ベストセルとは、移動局１００ｎの内部で保持する、最も無線品質の良いセルを示す変数のことである。【００７３】
尚、上述した例においては、移動局が２本のアンテナを有し、その内の１本が送信アンテナとして用いられ、２本が受信アンテナとして用いられる場合を示したが、移動局が３本のアンテナを有し、その内の１本が送信アンテナとして用いられ、残りの２本が受信アンテナとして用いられてもよい。この場合、２アンテナの考慮の仕方として、２アンテナで測定した値の合計値を測定する、または、２アンテナで測定した値の平均値を測定する、が指定された場合には、受信に用いる２本のアンテナに関して測定を行い、２アンテナの考慮の仕方として、メインの１アンテナで測定した値を測定する、が指定された場合には、送信に用いる１本のアンテナに関して測定を行う。【００７４】
あるいは、上述した例においては、移動局が２本のアンテナを有し、その内の１本が送信アンテナとして用いられ、２本が受信アンテナとして用いられる場合を示したが、移動局が２本のアンテナを有し、その内の２本とも送信アンテナとして用いられ、かつ、受信アンテナとして用いられてもよい。この場合、２アンテナの考慮の仕方として、２アンテナで測定した値の合計値を測定する、または、２アンテナで測定した値の平均値を測定する、が指定された場合には、上記２本のアンテナに関して測定を行い、２アンテナの考慮の仕方として、メインの１アンテナで測定した値を測定する、が指定された場合にも、上記２本のアンテナに関して測定を行う。例えば、２アンテナの考慮の仕方として、メインの１アンテナで測定した値を測定する、が指定された場合に、２本のアンテナで測定した値の平均値を測定してもよい。【００７５】
呼処理部１１２は、通信チャネルの設定や解放等の呼処理や、移動局１００ｎの状態管理を行う。また、呼処理部１１２は、ベースバンド信号処理部１０８より、基地局装置２００より通知されるセル選択を行うためのメッセージを受け取る。そして、呼処理部１１２は、上記セル選択を行うためのメッセージに基づきセルチェンジの処理を行う。また、上記セルチェンジを行うためのＲＲＣ  メッセージを生成し、ベースバンド信号処理部１０８に通知する。すなわち、基地局装置２００における呼処理部２１２と、移動局１００ｎにおける呼処理部１１２は、セルチェンジを行うためのＲＲＣ  メッセージのやり取りを行う。
アプリケーション部１１４は、物理レイヤーやＭＡＣレイヤーより上位のレイヤーに関する処理等を行う。【００７６】
上述したように、基地局装置２００が、受信ダイバーシチにおける複数のアンテナを考慮の仕方を選択し、その選択された複数のアンテナの考慮の仕方に基づいて、移動局１００ｎがベストセルの測定を行い、そのベストセルの測定結果に基づいてセルチェンジを行うことにより、より高品質のネットワークを提供することができる。【００７７】
次に、本実施例に係る通信制御方法について、図７を参照して説明する。
ステップＳ７０２において、基地局装置２００内のメジャーメントコントロール部２１０は、図４に示す測定する対象を選択する。具体的には、測定する対象として、リファレンス信号の受信電力、リファレンス信号の受信電力と雑音電力を含めた全受信電力との比、パスロスの内の１つを選択する。【００７８】
ステップＳ７０４において、基地局装置２００内のメジャーメントコントロール部２１０は、図４に示す２アンテナの考慮の仕方を選択する。具体的には、２アンテナの考慮の仕方として、メインの１アンテナで測定した値、２アンテナで測定した値の平均値、２アンテナで測定した値の合計値の内の１つを選択する。【００７９】
ステップＳ７０６において、基地局装置２００は、上記測定する対象や２アンテナの考慮の仕方を示すメジャーメント  Ｑｕｎａｔｉｔｙを含むメジャーメントコントロールのメッセージまたは報知情報を、移動局１００ｎに通知する。【００８０】
ステップＳ７０８において、移動局１００ｎ内のメジャーメント部１１０は、上記測定する対象や２アンテナの考慮の仕方を示す測定量（Ｍｅａｓｕｒｅｍｅｎｔ  Ｑｕａｎｔｉｔｙ）に基づいて、ベストセルに関する測定を行う。【００８１】
ステップＳ７１０において、ステップＳ７０８において移動局１００ｎにより行われるベストセルに関する測定に基づいて、セルチェンジが行われる。より具体的には、移動局１００ｎは、ベストセルに関するメジャーメントレポートを基地局装置２００に通知し、基地局装置２００は、上記ベストセルが、当該タイミングにおけるサービングセルと異なる場合には、上記ベストセルをサービングセルに変更すると決定する。そして、基地局装置２００と移動局１００ｎとの間で、セルチェンジを行うためのＲＲＣ  メッセージのやり取りがなされ、セルチェンジの処理が行われる。【００８２】
次に、本実施例に係る通信制御方法について、図８を参照して説明する。
ステップＳ８０２において、基地局装置２００内のメジャーメントコントロール部２１０は、図５（a）に示す選択肢を選択する。具体的には、測定する対象と２アンテナの考慮の仕方の組み合わせとして、選択肢１、選択肢２、選択肢３を選択する。【００８３】
ステップＳ８０４において、基地局装置２００は、上記選択肢を選択することにより決定される、測定する対象や２アンテナの考慮の仕方を示す測定量（Ｍｅａｓｕｒｅｍｅｎｔ  Ｑｕａｎｔｉｔｙ）を含むメジャーメントコントロールのメッセージまたは報知情報を、移動局１００ｎに通知する。【００８４】
ステップＳ８０６において、移動局１００ｎは、上記測定する対象や２アンテナの考慮の仕方を示す測定量（Ｍｅａｓｕｒｅｍｅｎｔ  Ｑｕａｎｔｉｔｙ）に基づいて、ベストセルに関する測定を行う。【００８５】
ステップＳ８０８において、ステップＳ７０８において移動局１００ｎにより行われるベストセルに関する測定に基づいて、セルチェンジが行われる。より具体的には、移動局１００ｎは、ベストセルに関するメジャーメントレポートを基地局装置２００に通知し、基地局装置２００は、上記ベストセルが、当該タイミングにおけるサービングセルと異なる場合には、上記ベストセルをサービングセルに変更すると決定する。そして、基地局装置２００と移動局１００ｎとの間で、セルチェンジを行うためのＲＲＣ  メッセージのやり取りがなされ、セルチェンジの処理が行われる。【００８６】
本発明の実施例によれば、リファレンス信号の受信電力や、リファレンス信号の受信電力と雑音電力を含めた全受信電力との比、パスロスといった、移動局が測定する対象に加えて、２アンテナで測定した値の合計値や、２アンテナで測定した値の合計値、メインの１アンテナで測定した値といった、２アンテナの考慮の仕方を、基地局装置が選択し、移動局に指定することにより、セル毎またはオペレータ毎に柔軟なセル設計が可能となり、結果として、高品質のネットワークを提供することのできる移動局、基地局装置、移動通信システム及び通信制御方法を実現できる。【００８７】
尚、上述した実施例においては、主に２本のアンテナを用いて受信ダイバーシチを行う場合に関して示したが、３本以上のアンテナを用いる場合にも適用されることができる。
また、上述した例においては、測定する対象として、リファレンス信号の受信電力、リファレンス信号の受信電力と雑音電力を含めた全受信電力との比、パスロスの３種類を示したが、上記以外にも適用されることができる。例えば、上記以外として、リファレンス信号のＳＩＲ（Ｓｉｇｎａｌ−ｔｏ−Ｉｎｔｅｒｆｅｒｅｎｃｅ  Ｒａｔｉｏ）等が考えられる。【００８８】
さらに、上述した例においては、基地局装置が指定した、測定する対象と２アンテナの考慮の仕方に基づいて、移動局がベストセルの測定を行い、そのベストセルの測定結果に基づいてセルチェンジの処理を行う場合を示したが、その他の測定にも、本発明に係る移動局、基地局装置、移動通信システム、通信制御方法が適用されることができる。例えば、ベストセルの測定の代わりに、異周波の無線品質の測定や、異なるシステムの無線品質の測定に適用されてもよい。あるいは、隣接するセルを監視するための測定に適用されてもよい。隣接するセルを監視するための測定は、例えば、隣接セルからの干渉を考慮した上りリンクまたは下りリンクの送信電力制御に用いられる場合がある。あるいは、上りリンクの送信電力を決定するためのパスロスの測定に適用されてもよい。【００８９】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る移動局、基地局装置、移動通信システム及び通信制御方法は、共有チャネルを用いた通信を行う全てのシステムにおいて適用することが可能である。例えば、３ＧＰＰにおけるＷＣＤＭＡやＨＳＤＰＡにおいても適用することができる。【００９０】
以上本発明は特定の実施例を参照しながら説明されてきたが、各実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。各実施例の区分けは本発明に本質的ではなく、２以上の実施例が必要に応じて使用されてよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。【００９１】
本国際出願は２００７年２月２８日に出願した日本国特許出願第２００７−０５０８３６号に基づく優先権を主張するものであり、その全内容を本国際出願に援用する。
【図１】
2008105311.tif 000003
【図２】
2008105311.tif 000004
【図３】
2008105311.tif 000005
【図４】
2008105311.tif 000006
【図５】
2008105311.tif 000007
【図６】
2008105311.tif 000008
【図７】
2008105311.tif 000009
【図８】
2008105311.tif 000010
【国際調査報告】
2008105311.tif 000011
2008105311.tif 000012